(57)【特許請求の範囲】
【請求項１】
単数又は複数の携帯端末と、前記携帯端末から送信されてきたデータをバックアップデータとして格納する情報サーバとを備えた携帯端末のバックアップデータのストレージシステムであって、
前記情報サーバは、前記携帯端末から前記データを受信すると、受信した前記データを前記バックアップデータとして情報記憶部に格納した後、前記バックアップデータの一覧やバックアップ完了日時情報からなるバックアップ履歴情報を生成して前記携帯端末に送信し、かつ、
前記携帯端末は、バックアップを必要とする前記データを格納する内蔵記憶部と、前記データを前記情報サーバに送信する送信部と、
前記情報サーバから前記バックアップ履歴情報を受信する受信部と、受信した前記バックアップ履歴情報に基づいて、前記バックアップを必要とする前記データを表す図画像のアイコンを表示部に表示する表示制御部とを有すると共に、
該表示制御部は、前記受信したバックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴とする携帯端末のバックアップデータのストレージシステム。
【請求項２】
単数又は複数の携帯端末と、前記携帯端末から送信されてきたデータを携帯端末の利用者ＩＤ毎及びデータ種別毎にバックアップデータとして格納する情報サーバと、を備えた携帯端末のバックアップデータのストレージシステムであって、
前記情報サーバは、前記携帯端末から前記データを受信する受信部と、受信した前記データの種別を判定するデータ種別判定部と、前記携帯端末の利用者ＩＤ及び前記データ種別の判定結果に基づく区分で受信した前記データを前記バックアップデータとして情報記憶部に格納する記憶制御部と、前記データのバックアップの完了を判定し、前記バックアップデータの一覧やバックアップ完了日時情報からなるバックアップ履歴情報を生成するバックアップ判定部と、生成した前記バックアップ履歴情報を前記携帯端末に送信する送信部と、を有し、
前記携帯端末は、前記バックアップを必要とする前記データを格納する内蔵記憶部と、前記データを前記情報サーバに送信する送信部と、
前記情報サーバから前記バックアップ履歴情報を受信する受信部と、受信した前記バックアップ履歴情報に基づいて、前記バックアップを必要とする前記データを表す図画像のアイコンを表示部に表示する表示制御部とを有すると共に、
該表示制御部は、前記受信したバックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴とする携帯端末のバックアップデータのストレージシステム。
【請求項３】
前記携帯端末は、前記情報サーバから受信した前記バックアップ履歴情報を保存・更新するバックアップ管理テーブルを有していることを特徴とする請求項１又は２記載の携帯端末のバックアップデータのストレージシステム。
【請求項４】
前記情報サーバに対してアクセス可能な他の通信端末を備え、
前記情報サーバは、前記携帯端末から送信されてきた前記データを前記バックアップデータとして格納した後、前記他の通信端末からアクセスがあると、利用者認証を経て、格納された前記バックアップデータの複製を前記他の通信端末に送信することを特徴とする請求項１又は２記載の携帯端末のバックアップデータのストレージシステム。
【請求項５】
前記情報サーバは、前記他の通信端末への前記複製の送信を完了した後、前記バックアップデータの格納を依頼された前記携帯端末に、当該複製送信完了情報を送信することを特徴とする請求項４記載の携帯端末のバックアップデータのストレージシステム。
【請求項６】
請求項４又は５記載の携帯端末のバックアップデータのストレージシステムを構成することを特徴とする情報サーバ。
【請求項７】
バックアップデータを格納する情報サーバと接続する携帯端末であって、
バックアップを必要とするデータを格納する内蔵記憶部と、前記データを前記情報サーバに送信して、前記バックアップデータとして格納してもらうための送信部と、
前記情報サーバから、前記バックアップデータの一覧やバックアップ完了日時情報からなるバックアップ履歴情報を受信する受信部と、受信した前記バックアップ履歴情報に基づいて、前記バックアップを必要とする前記データを表す図画像のアイコンを表示部に表示する表示制御部とを有すると共に、
該表示制御部は、前記受信したバックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴とする携帯端末。
【請求項８】
前記情報サーバから受信した前記バックアップ履歴情報を保存・更新するバックアップ管理テーブルを有していることを特徴とする請求項７記載の携帯端末。
【請求項９】
携帯端末のデータをバックアップデータとして情報サーバに格納する携帯端末のバックアップデータのストレージ方法であって、
前記情報サーバは、前記携帯端末から前記データを受信すると、受信した前記データを前記バックアップデータとして情報記憶部に格納した後、前記バックアップデータの一覧やバックアップ完了日時情報からなるバックアップ履歴情報を生成して前記携帯端末に送信し、かつ、
前記携帯端末は、バックアップを必要とする前記データを内蔵記憶部に格納し、前記データを前記情報サーバに送信し、
前記情報サーバから前記バックアップ履歴情報を受信すると、受信した前記バックアップ履歴情報に基づいて、前記バックアップを必要とする前記データを表す図画像のアイコンを表示部に表示すると共に、
受信した前記バックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴とする携帯端末のバックアップデータのストレージ方法。
【請求項１０】
単数又は複数の携帯端末から送信されてきたデータを情報サーバに携帯端末の利用者ＩＤ毎及びデータ種別毎にバックアップデータとして格納する携帯端末のバックアップデータのストレージ方法であって、
前記情報サーバは、前記携帯端末から前記データを受信し、受信した前記データの種別を判定し、前記携帯端末の利用者ＩＤ及び前記データ種別の判定結果に基づく区分で受信した前記データを前記バックアップデータとして情報記憶部に格納し、前記データのバックアップの完了を判定し、前記バックアップデータの一覧やバックアップ完了日時情報からなるバックアップ履歴情報を生成し、生成した前記バックアップ履歴情報を前記携帯端末に送信し、かつ、
前記携帯端末は、前記バックアップを必要とする前記データを内蔵記憶部に格納し、前記データを前記情報サーバに送信し、
前記情報サーバから前記バックアップ履歴情報を受信すると、受信した前記バックアップ履歴情報に基づいて、前記バックアップを必要とする前記データを表す図画像のアイコンを表示部に表示すると共に、
受信した前記バックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴とする携帯端末のバックアップデータのストレージ方法。
【請求項１１】
前記情報サーバに対してアクセス可能な他の通信端末を用意し、
前記情報サーバは、前記携帯端末から送信されてきた前記データを前記バックアップデータとして格納した後、前記他の通信端末からアクセスがあると、利用者認証を経て、格納された前記バックアップデータの複製を前記他の通信端末に送信することを特徴とする請求項９又は１１記載の携帯端末のバックアップデータのストレージ方法。
【請求項１２】
前記情報サーバは、前記他の通信端末への前記複製の送信を完了した後、前記バックアップデータの格納を依頼された前記携帯端末に、当該複製送信完了情報を送信することを特徴とする請求項１１記載の携帯端末のバックアップデータのストレージ方法。
【請求項１３】
コンピュータを、請求項１乃至５の何れか一に記載の携帯端末のバックアップデータのストレージシステムとして機能させることを特徴とするプログラム。
【請求項１４】
コンピュータを、請求項７又は８記載の携帯端末として機能させることを特徴とするプログラム。
【請求項１５】
コンピュータに請求項９乃至１２の何れか一に記載の携帯端末のバックアップデータのストレージ方法を実行させることを特徴とするプログラム。
【発明の詳細な説明】
【技術分野】
【０００１】
この発明は、操作性及び利便性の良い携帯端末のバックアップデータのストレージシステム、それを構成する情報サーバと携帯端末、携帯端末のバックアップデータのストレージ方法、情報サーバのバックアッププログラム、携帯端末のバックアッププログラム、及びこれらのプログラムの記録媒体に係り、詳しくは、インターネット等の通信ネットワークを利用してデータバックアップサービスを行う情報サーバにアクセスし、そのバックアップ履歴情報を携帯端末のユーザ（利用者）に通知しながらデータバックアップを行う携帯端末のバックアップデータのストレージシステム、情報サーバ、携帯端末、携帯端末のバックアップデータのストレージ方法、情報サーバのバックアッププログラム、及び携帯端末のバックアッププログラムに関する。
【背景技術】
【０００２】
携帯電話機に代表される携帯端末において、例えば電話帳等のデータが携帯端末の故障や誤作動等により壊れたり、読み出し不能となったり、別の携帯端末に交換した際に電話帳等のデータをリストアしたりするときのために、携帯端末のデータのバックアップが必要となる。従来の携帯端末におけるデータをバックアップする技術としては、以下のようなものがあった。
【０００３】
その第１例は、ストレージカード（例えば、ＳＤカード）のような記憶媒体にバックアップしたいデータを格納し、携帯端末が故障したり、誤作動したり、交換されたりした場合には、このストレージカードを復旧或いは交換した携帯端末で使用することにより、データを復旧させる技術である。
【０００４】
第２例は、携帯端末とパーソナルコンピュータ（以下、パソコンと記す）等の情報処理装置にそれぞれ専用のデータ転送ソフトウェアを用意し、携帯端末からパソコン等の情報処理装置にケーブルを介してデータを格納（転送）することで、携帯端末の内蔵メモリデータのバックアップを行い、このバックアップされたデータを復旧或いは交換した携帯端末でリストアする技術である。
【０００５】
第３例は、携帯端末が交換制御装置等を含む通信網に対してデータのバックアップを要求し、交換制御装置等を含む通信網がバックアップを行うサーバに携帯端末のデータを転送して格納させ、リストアの際は、携帯端末の要求に応じて交換制御装置等がサーバからバックアップされたデータを携帯端末に転送する技術である（特許文献１，３参照）。
【０００６】
第４例は、インターネット等を通して携帯端末が携帯端末のデータをバックアップするサービスを行っているサーバに直接アクセスし、そのデータを転送してバックアップを要請し、リストアの際は、携帯端末からの要求に応じてサーバからバックアップされたデータを転送させる技術である（特許文献２，４，５参照）。
【特許文献１】特開２００２−１８５６３１号公報
【特許文献２】特開２００３−１８９３６２号公報
【特許文献３】特開２００３−２１９０５３号公報
【特許文献４】特開２００３−２２３３４８号公報
【特許文献５】特開２００３−３３８８６７号公報
【発明の開示】
【発明が解決しようとする課題】
【０００７】
しかしながら、上述の従来技術の第１例では、（１）携帯端末に内蔵メモリとは別にストレージカードを挿抜するためのカードスロットを用意しなければならず、携帯端末を小型化、薄型化する上で障害になり、（２）コスト増になり、（３）携帯端末の故障に伴いストレージカードも故障する可能性があり、（４）画像ファイルのように大容量のデータをバックアップできない等の問題があった。
【０００８】
また、上述の従来技術の第２例は、上記第１例の問題を解決しているが、この第２例では、携帯端末がパソコンのようにデータパックアップを行うことは一般的ではなく、（５）データのバックアップを取ろうとすると、バックアップを取るための装置（パソコン・専用のデータ転送ソフトウェア・ケーブル）を用意して接続し起動する必要があって準備や操作が繁雑であり、（６）パソコンにバックアップを取ってあっても、上記パソコン等の装置がない環境では利用できず、いつでも、どこでも、気軽にリストアできるというわけではない等の問題があった。
【０００９】
更に、上述の従来技術の第３、第４例は、上記第１、第２例の問題を解決しているが、この第３、第４例では、（７）携帯端末において、時間が経過する程、いつのデータが、或いはどのデータがバックアップされているのか不明瞭となる等、利便性が悪く、（８）バックアップされたデータを自分のパソコンであっても利用できない等、利便性が悪く、（９）バックアップされるデータは電話帳データ等の特定のデータであるか、或いはバックアップするデータを特定してサーバに指定し、その後に当該バックアップするデータを選択して送信しなければならず、任意のデータを操作性良くバックアップできない等の問題があった。
【００１０】
この発明は、上述の事情に鑑みてなされたものであって、携帯端末のデータを利便性及び操作性良くバックアップすることができる携帯端末のバックアップデータのストレージシステム、情報サーバ、携帯端末、携帯端末のバックアップデータのストレージ方法、情報サーバのバックアッププログラム、及び携帯端末のバックアッププログラムを提供することを目的としている。
【課題を解決するための手段】
【００１１】
上述の課題を解決するため、この発明の第１の構成は、単数又は複数の携帯端末と、前記携帯端末から送信されてきたデータをバックアップデータとして格納する情報サーバとを備えた携帯端末のバックアップデータのストレージシステムに係り、前記情報サーバは、前記携帯端末から前記データを受信すると、受信した前記データを前記バックアップデータとして情報記憶部に格納した後、前記バックアップデータの一覧やバックアップ完了日時情報からなるバックアップ履歴情報を生成して前記携帯端末に送信し、かつ、前記携帯端末は、バックアップを必要とする前記データを格納する内蔵記憶部と、前記データを前記情報サーバに送信する送信部と、前記情報サーバから前記バックアップ履歴情報を受信する受信部と、受信した前記バックアップ履歴情報に基づいて、前記バックアップを必要とする前記データを表す図画像のアイコンを表示部に表示する表示制御部とを有すると共に、該表示制御部は、前記受信したバックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴としている。
【００１２】
また、この発明の第２の構成は、単数又は複数の携帯端末と、前記携帯端末から送信されてきたデータを携帯端末の利用者ＩＤ毎及びデータ種別毎にバックアップデータとして格納する情報サーバと、を備えた携帯端末のバックアップデータのストレージシステムに係り、前記情報サーバは、前記携帯端末から前記データを受信する受信部と、受信した前記データの種別を判定するデータ種別判定部と、前記携帯端末の利用者ＩＤ及び前記データ種別の判定結果に基づく区分で受信した前記データを前記バックアップデータとして情報記憶部に格納する記憶制御部と、前記データのバックアップの完了を判定し、前記バックアップデータの一覧やバックアップ完了日時情報からなるバックアップ履歴情報を生成するバックアップ判定部と、生成した前記バックアップ履歴情報を前記携帯端末に送信する送信部と、を有し、前記携帯端末は、前記バックアップを必要とする前記データを格納する内蔵記憶部と、前記データを前記情報サーバに送信する送信部と、前記情報サーバから前記バックアップ履歴情報を受信する受信部と、受信した前記バックアップ履歴情報に基づいて、前記バックアップを必要とする前記データを表す図画像のアイコンを表示部に表示する表示制御部とを有すると共に、該表示制御部は、前記受信したバックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴としている。
【００１３】
また、この発明の第３の構成は、携帯端末のデータをバックアップデータとして情報サーバに格納する携帯端末のバックアップデータのストレージ方法に係り、前記情報サーバは、前記携帯端末から前記データを受信すると、受信した前記データを前記バックアップデータとして情報記憶部に格納した後、前記バックアップデータの一覧やバックアップ完了日時情報からなるバックアップ履歴情報を生成して前記携帯端末に送信し、かつ、前記携帯端末は、バックアップを必要とする前記データを内蔵記憶部に格納し、前記データを前記情報サーバに送信し、前記情報サーバから前記バックアップ履歴情報を受信すると、受信した前記バックアップ履歴情報に基づいて、前記バックアップを必要とする前記データを表す図画像のアイコンを表示部に表示すると共に、受信した前記バックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴としている。
【００１４】
また、この発明の第４の構成は、単数又は複数の携帯端末から送信されてきたデータを情報サーバに携帯端末の利用者ＩＤ毎及びデータ種別毎にバックアップデータとして格納する携帯端末のバックアップデータのストレージ方法に係り、前記情報サーバは、前記携帯端末から前記データを受信し、受信した前記データの種別を判定し、前記携帯端末の利用者ＩＤ及び前記データ種別の判定結果に基づく区分で受信した前記データを前記バックアップデータとして情報記憶部に格納し、前記データのバックアップの完了を判定し、前記バックアップデータの一覧やバックアップ完了日時情報からなるバックアップ履歴情報を生成し、生成した前記バックアップ履歴情報を前記携帯端末に送信し、かつ、前記携帯端末は、前記バックアップを必要とする前記データを内蔵記憶部に格納し、前記データを前記情報サーバに送信し、前記情報サーバから前記バックアップ履歴情報を受信すると、受信した前記バックアップ履歴情報に基づいて、前記バックアップを必要とする前記データを表す図画像のアイコンを表示部に表示すると共に、受信した前記バックアップ履歴情報を参照して、前記アイコンで表わされる前記データが、前回のバックアップ時から予めユーザにより設定された所定の期間を経過しているときは、前記図画像のアイコンの表現を変えて前記表示部に表示することを特徴としている。
【発明の効果】
【００２９】
以上説明したように、この発明の構成によれば、携帯電話機やＰＤＡ（パーソナル・デジタル・アシスタント）に代表される携帯情報端末等の携帯端末の内蔵記憶部に格納されているバックアップ対象のデータ（アドレス帳、メール、画像ファイル等）を、オンライン上（ｗｅｂサイト等）の情報サーバにおいてバックアップ履歴情報を作成しながらデータ種別を判定して利用者毎、データ種別毎にバックアップし、携帯端末においてこのバックアップ履歴情報を管理、参照し、バックアップデータやその図画像の表示態様を変えて、バックアップ履歴情報を視覚的に容易に確認できるようにしたので、携帯端末を交換したときのデータの引き継ぎや、故障や誤作動等でデータが壊れたときの復旧を容易にかつ利便性良く行うことができる。
【００３０】
また、情報サーバが携帯端末から送信されるバックアップデータの種別を判定し、バックアップデータを携帯端末の利用者ＩＤ毎及びデータ種別毎に格納するので、携帯端末はバックアップするデータを特定せずに情報サーバに送信することができ、データのバックアップを容易にかつ操作性良く行うことができる。また、インターネット等の通信ネットワーク経由で接続される情報サーバによりバックアップすることから、携帯端末がこのような情報サーバに接続できる環境（機能等）があれば、特別な装置、例えば、パソコン等のバックアップ用の情報処理装置や通信手段、ケーブル、専用ソフトウェア等を準備し操作する必要ないので、データのバックアップを容易にかつ操作性良く行うことができる。一方、情報サーバによりオンラインストレージサービスを提供するコンテンツプロバイダ等の通信事業者は、月額制で当該サービスを提供することにより、新たな収益を得ることができるようになる。
【００３１】
更に、情報サーバでバックアップしたデータを、例えば利用者の自宅のパソコン等の通信端末からもアクセスして利用可能とし、このときのバックアップ履歴情報も作成して携帯端末で管理することを可能とし、携帯端末ではこのバックアップ履歴情報に応じてバックアップデータやその図画像の表示態様を変えて、バックアップ履歴情報を視覚的に容易に確認できる形式としたので、携帯電話機やＰＤＡ等の利用者の携帯情報端末にリストアしなくてもバックアップデータの活用が可能となり、より一層、利便性が良くなる。
【発明を実施するための最良の形態】
【００３２】
この発明は、携帯電話機やＰＤＡ等の単数又は複数の携帯端末の内蔵記憶部に格納されているバックアップ対象のデータ（アドレス帳、メール、画像ファイル等）を携帯端末からオンライン上（ｗｅｂサイト等）でバックアップサービスを行う情報サーバに送信し、この情報サーバにおいて、データ種別判定部によりバックアップデータの種別を判定して携帯端末の利用者ＩＤと判定したデータ種別に基づく区分でバックアップデータを情報記憶部に格納し、格納したバックアップデータを他の通信端末（利用者のパソコン等）からアクセス可能とし、格納完了や他の通信端末へのバックアップデータの送信完了の際、バックアップ判定部によりバックアップ履歴情報を生成して携帯端末に送信する一方、携帯端末では、バックアップ管理テーブルを設けて情報サーバからのバックアップ履歴情報を基に更新し、表示制御部によるバックアップデータやその図画像（アイコン、イラスト、写真等）の表示制御において、バックアップ管理テーブルを参照してその表示態様を変えたり、バックアップ履歴情報に関する報知メッセージや報知音により利用者に報知したりして、他の通信端末の利用を含むバックアップ履歴情報を視覚的又は聴覚的に容易に確認できるようにすることにより、携帯端末のデータを利便性及び操作性良くバックアップするという目的を実現した。
以下、図面を参照して、この発明の実施の形態について説明する。説明は、実施例を用いて具体的に行う。
【実施例１】
【００３３】
図１は、この発明の第１の実施例であるストレージシステムのシステム構成を示すブロック図である。この実施例のストレージシステムは、携帯電話機等のユーザ携帯端末１０ａと、情報サーバ２０とから主に構成されている。これらユーザ携帯端末１０ａ及び情報サーバ２０は、プログラム制御により動作し、インターネット等の通信ネットワーク３０を介して相互に接続されている。情報サーバ２０は、例えばインターネット等の通信ネットワーク３０におけるコンテンツプロバイダ等のバックアップストレージサービスを行う通信事業者に属し、ユーザ携帯端末１０ａから通信ネットワーク３０を介して送信されたバックアップ対象のデータをバックアップする情報処理装置である。なお、ユーザ携帯端末は複数（ユーザ携帯端末１０ｂ、…）あっても良い。
【００３４】
図２はユーザ携帯端末の電気的構成を示すブロック図である。ユーザ携帯端末１０ａは、携帯電話機等の無線通信機能（電話機能、ｗｅｂサーバヘの接続機能、メール送受信機能等）を備えた携帯端末であって、内蔵記憶部１１に格納されているデータ（電話帳等のアドレス帳情報、送受信メール情報、画像ファイルを含むコンテンツ情報、…等）をバックアップするために、情報サーバ２０にアクセスして、内蔵記憶部１１に格納されている当該バックアップ対象のデータを送信する機能を備えている。また、内蔵記憶部１１に格納するバックアップ対象のデータ、或いはこのデータを表す図画像（アイコン、イラスト、写真、…等）を表示する表示部１２を備えている。この表示部１２は各種の情報表示を行う表示部を兼ねている。また、記憶部１１は、上述のデータの他に、情報サーバ２０から送信されるバックアップ履歴情報を更新し反映するバックアップ管理テーブル１１ａ、及び携帯電話機等の携帯端末の発着呼情報、携帯電話機等の携帯端末の各種設定等を格納する。
【００３５】
更に詳細に説明すると、携帯電話機等であるユーザ携帯端末１０ａは、図略の無線基地局との間で発着呼を行い発着呼先の相手と通話するための無線信号や、インターネット等の通信ネットワークに接続しバックアップ対象のデータを送信しバックアップ履歴情報を受信するための無線信号を送受信する無線通信部１３、発着呼を行ったり、インターネット等の通信ネットワーク上の情報サーバに接続してバックアップ対象のデータを送信したりするための各種情報入力を行うテンキー、スクロールキー、選択キー、操作キー、決定キー等から構成される操作部１４、通話時の音声信号処理を行う送受話部１５への入力を行うマイク１６及び出力を行うスピーカ１７、着信音や楽音及び報知音等を出力する報知スピーカ１８、以上の携帯端末各部の制御を行い、バックアップ対象のデータ、或いはこのデータを表す図画像等の表示制御機能、電話機能、データ通信機能、コンテンツ出力機能等の制御を行う制御部１９を備える。制御部１９において、特にバックアップ対象のデータ、或いはこのデータを表す図画像等の表示制御機能を果たす機能手段が、表示制御部１９ａである。
【００３６】
図３は、情報サーバ２０の電気的構成を示すブロック図である。情報サーバ２０は、複数ユーザの携帯端末からのバックアップデータのオンラインストレージサービス提供者に設置されているワークステーション・サーバ等の情報処理装置であり、ユーザ携帯端末１０ａがバックアップするために送信したバックアップ対象のデータを受信して格納する機能を備えている。
【００３７】
更に詳細に説明すると、情報サーバ２０は、通信ネットワーク３０を介する情報の送受信を制御する通信部２１と、オンラインストレージサービスの利用者情報を格納するユーザ情報記億部２３ａ及びオンラインストレージサービスの各利用者（ユーザＡ、ユーザＢ、…）に割り当てられて、ユーザ携帯端末１０ａ，１０ｂ、…、から送信されたバックアップするデータを格納するバックアップデータ記憶部２３ｂを有する情報記憶部２３と、ユーザ携帯端末１０ａのアクセスに対して、ユーザ情報記憶部２３ａに格納されたユーザ情報を参照して認証（ＩＤ，ＰＷ（パスワード）認証等）を行う機能手段としての認証部２２ａ、前記通信部２１を介して受信したバックアップデータについて、ユーザ情報記憶部２３ａのユーザ情報を参照して所定の分類テーブルによるデータ種別（音楽ファイル、画像ファイル、動画ファイル、アドレス帳、メール、…等）で分類する機能手段としてのデータ種別判定部２２ｂ、利用者ＩＤ及びデータ種別に基づく区分でバックアップするデータをバックアップデータ記憶部２３ｂの所定領域に格納するよう制御する機能手段としての記憶制御部２２ｃ、バックアップデータ記憶部２３ｂへの格納完了を判定しバックアップ履歴情報を生成する機能手段としてのバックアップ判定部２２ｄを備える制御部２２と、を有している。
【００３８】
次に、この実施例の動作の一例について図４乃至図７のフローチャートを参照して説明する。図４、図５及び図６はユーザ携帯端末１０ａの動作の一例を示すフローチャートであり、図７は情報サーバ２０の動作の一例を示すフローチャートである。なお、図４中のＳ１〜Ｓ５、図５中のＳ１１〜Ｓ１４、図６中のＳ２１〜Ｓ２５、及び図７中のＳ３１〜Ｓ４０は、処理のステップを示している。また、図４は、バックアップ時の動作とリストア時の動作の両方を示している（バックアップ時でのＳ３の動作はバックアップデータの送信となり、リストア時の動作でのＳ３の動作はバックアップデータの受信、リストアとなる）。
【００３９】
まず、ユーザ携帯端末１０ａにはオンラインバックアップ処理を行うソフトウェアを組み込んでおくものとする。次に、ユーザ携帯端末１０ａからインターネット等の通信ネットワーク３０を介して、オンラインストレージサービスを提供するコンテンツサービスプロバイダ等のサーバである情報サーバ２０にアクセスし（ステップＳ１、ステップＳ３１）、所定の認証（ＩＤ，ＰＷ認証等）を経て（ステップＳ２、Ｓ３２）、組み込んだソフトウェア処理によりバックアップ行うデータ（バックアップデータ）を携帯端末１０ａから送信し（Ｓ３）、情報サーバ２０が受信する（Ｓ３３）。なお、一連のバックアップ処理は、手動での実行、或いは自動での実行（データ作成時の実行や定期的な実行）の何れでも良い。なお、バックアップ対象とするデータ（ファイル等）は、所定の拡張子（画像、動画、楽音、テキスト、…等）や所定のフォルダに格納されるファイルを対象とする等、ユーザの設定により予め決められていても良い。
【００４０】
次に、情報サーバ２０は、携帯端末１０ａから受信したバックアップデータのデータ（ファイル等）の種別を、例えば拡張子等で判定し（Ｓ３４）、ユーザＩＤ及び判定したデータ種別による区分に応じて、所定のフォルダ等の所定の領域に格納する（Ｓ３５）。データのバックアップが完了すると、情報サーバ２０はバックアップ完了情報（バックアップされた情報の一覧や完了日時等）をバックアップ履歴情報として作成し送信するので（Ｓ３６）、ユーザ携帯端末１０ａの制御部１９は、該バックアップ履歴情報を受信し（Ｓ４）、受信したバックアップ履歴情報に基づき、これを格納するバックアップ管理テーブル１１ａを更新する（Ｓ５）。
【００４１】
また、ユーザ携帯端末１０ａの表示制御部１９ａは、バックアップ管理テーブル１１ａを参照して、例えば、ウェイクアツプ時（端末電源ＯＮ時（Ｓ１１））に、表示部１２に表示させるデータ又は当該データを示す情報（アイコン、イラスト、写真、…等の図画像）がある場合は（Ｓ１２）、バックアップ管理テーブル１１ａを参照して、当該データがバックアップ対象データであるか、バックアップ対象データである場合にはバックアップされているか、バックアップされている場合であっても予めユーザにより設定された所定期間が経過していないか、等を判定し（Ｓ１３）、特にバックアップ対象データであってバックアップされていないとか、バックアップされてはいるが所定期間経過している等のようにバックアップ履歴の判定がＮＧの場合には、その表示態様を、例えば図８（ｄ）の表示態様を（ｃ）のように適宜変更するよう制御する（Ｓ１４）。
【００４２】
或いは、ユーザ携帯端末１０ａの制御部１９は、バックアップ管理テーブル１１ａを参照して、例えば、ウェイクアツプ時（端末電源ＯＮ時（Ｓ２１））に、ユーザの操作部１４を介する入力によりデータ（画像、コンテンツ等）の出力が選択されたときに（Ｓ２２）、当該データがバックアップ対象データであるか、バックアップ対象データである場合にはバックアップされているか、バックアップされている場合であっても予めユーザにより設定された所定期間が経過していないか、等を判定し（Ｓ２３）、特にバックアップ対象データであってバックアップされていないとか、バックアップされてはいるが所定期間経過している等のようにバックアップ履歴の判定がＮＧの場合には、選択データを出力する際に、例えば図８（ｂ）の表示に対し（ａ）のように所定のメッセージを出力したり、或いは報知スピーカ１８から報知音を出力したりする等、光、音、表示等の適宜の出力方法によりユーザに対する報知を行い（Ｓ２４）、特に判定に問題が無い場合には（ＯＫ）、選択データを出力するよう制御する（Ｓ２５）。
【００４３】
最後に、ユーザ携帯端末１０ａでデータを損失したときやユーザ携帯端末を交換するときに、データを損失したユーザ携帯端末１０ａから、或いは交換したユーザ携帯端末１０ａからオンラインストレージを行っている情報サーバ２０にアクセスし（Ｓ１、Ｓ３７）、ユーザ認証（ユーザＩＤ、ＰＷ認証等）を経て（Ｓ２、Ｓ３８）、情報サーバ２０がバックアップしているデータを送信し（Ｓ３９）、これをユーザ携帯端末１０ａが受信してリストアすることでデータを復旧することができる（Ｓ３）。その後、情報サーバ２０は、バックアップ送信情報（送信されたバックアップデータの一覧や送信日時等）をバックアップ履歴情報として作成し送信するので（Ｓ４０）、ユーザ携帯端末１０ａの制御部１９は、該バックアップ履歴情報を受信し（Ｓ４）、受信したバックアップ履歴情報に基づき、これを格納するバックアップ管理テーブル１１ａを更新する（Ｓ５）。更新後の動作は図５及び図６と同様である。
【実施例２】
【００４４】
図９は、この発明の第２の実施例である携帯端末のバックアップデータのストレージシステム構成を示すブロック図である。この実施例は、情報サーバに格納された携帯端末のバックアップデータをパソコン等の通信端末で利用可能とするものである。この実施例におけるユーザ携帯端末のバックアップデータを情報サーバで格納するという基本的な構成と動作は第１の実施例と同様なのでその説明は省略し、異なる処について説明する。なお、この実施例のユーザ携帯端末及び情報サーバの構成は、第１の実施例とは多少異なるが、同一の符号を用いて説明する。
【００４５】
この実施例のストレージシステムは、ユーザ携帯端末１０ａ，１０ｂ，…と情報サーバ２０の他に、情報サーバ２０に対して通信ネットワーク３０を介してアクセス可能なユーザ通信端末４０で構成されている。ユーザ通信端末４０は、ユーザ携帯端末１０ａのユーザ（利用者）が、自宅等に設置して利用するパソコン等の通信機能（ｗｅｂ上のサーバへの接続機能、メール送受信機能等）を備えた情報処理装置であり、通信ネットワーク３０を介して情報サーバ２０にアクセスする機能を備えている。
【００４６】
図１０は、この実施例の情報サーバ２０の電気的構成の一例を示すブロック図である。この実施例の情報サーバ２０は、基本的には図３の構成を有する他に、バックアップデータの複製を認証部２２ａで認証されたユーザ通信端末４０へ送信し、その送信の完了を計数する機能手段としてのバックアップ計数部２２ｅを、制御部２２が有している。バックアップ判定部２２ｄは、バックアップデータ記憶部２３ｂへの格納完了を判定しバックアップ履歴情報を生成する他に、バックアップ計数部２２ｅの計数結果と送信完了の判定からもバックアップ履歴情報を生成する機能を有している。ユーザ通信端末４０のアクセスにより生成されたバックアップ履歴情報は、バックアップデータを送信したユーザ携帯端末１０ａに通信部２１を介して送信される。
【００４７】
次に、この実施例の動作の一例を図４乃至図７のＳ３７〜Ｓ４０を読み替えて説明する。読み替えは、Ｓ３７のユーザ携帯端末１０ａをユーザ通信端末４０とする。情報サーバ２０は、ユーザ携帯端末１０ａからのバックアップデータを格納した後（Ｓ３１〜Ｓ３６）、ユーザ通信端末４０よりアクセスされると（Ｓ３７）、ユーザ認証（ユーザＩＤ、ＰＷ認証等）を経て、格納されたバックアップデータの複製をユーザ通信端末４０に送信する（Ｓ３９）。次に、この送信が完了すると、ユーザ携帯端末１０ａに他の通信端末へのバックアップ完了情報（他の通信端末へ更に複製され送信された情報の一覧や送信日時等）がバックアップ履歴情報として送信される（Ｓ４０）。ユーザ携帯端末１０ａでは、このバックアップ履歴情報を無線通信部１３により受信し（Ｓ４）、バックアップ管理テーブル１１ａを更新し（Ｓ５）、表示制御部１９ａが、表示部１２に当該バックアップデータやこれを表示するときの図画像（アイコン、イラスト、写真、…等）の表示態様を更に異なるように変更したり、所定のメッセージを併せて出力したり、或いは報知スピーカ１８から報知音を出力したりするよう制御することができる（図５及び図６）。
【実施例３】
【００４８】
以上、図４乃至図７を用いて説明した第１、第２の実施例におけるユーザ携帯端末の処理のステップ、或いは情報サーバの処理のステップをコンピュータのプログラムで構成し、そのプログラムをコンピュータに実行させることができることは言うまでもなく、コンピュータでその処理のステップを実行させるためのプログラムを、そのコンピュータが読み取り可能な記録媒体、例えば、フレキシブルディスクや、ＭＯ、ＲＯＭ、ストレージカード、ＣＤ、ＤＶＤ、リムーバブルディスク等に記録して、保存したり、配布したりすることが可能である。また、上記のプログラムをインターネットや電子メール等のように通信ネットワークを通して提供することも可能である。このように、記録媒体や通信ネットワークを通して提供されたプログラムをコンピュータにインストールすることで、この発明が実施可能となる。
【００４９】
以上、この発明の実施例を図面により詳述してきたが、具体的な構成はこの実施例に限られるものではなく、この発明の要旨を逸脱しない範囲の設計の変更等があってもこの発明に含まれる。例えば、上述の第１の実施例では、報知メッセージと報知音の一方を出力するだけでなく、両方を併せて出力して報知しても良い。また、この報知と表示態様の変更とを併せて行っても良い。
【産業上の利用可能性】
【００５０】
この発明は、携帯電話機や自動車電話機、ＰＤＡ等の携帯情報端末等におけるデータのバックアップに好適に適用できる。
【図面の簡単な説明】
【００５１】
【図１】この発明の第１の実施例である携帯端末のバックアップデータのストレージシステム構成を示すブロック図である。
【図２】同システムを構成している携帯端末の電気的構成の一例を示すブロック図である。
【図３】同システムを構成している情報サーバの電気的構成の一例を示すブロック図である。
【図４】同システムを構成している携帯端末の動作の一例を示すフローチャート（その１）である。
【図５】同システムを構成している携帯端末の動作の一例を示すフローチャート（その２）である。
【図６】同システムを構成している携帯端末の動作の一例を示すフローチャート（その３）である。
【図７】同システムを構成している情報サーバの動作の一例を示すフローチャートである。
【図８】（ａ），（ｂ），（ｃ），（ｄ）は、同システムを構成している携帯端末の表示態様の一例を示す図である。
【図９】この発明の第２の実施例である携帯端末のバックアップデータのストレージシステム構成を示すブロック図である。
【図１０】同システムを構成している情報サーバの電気的構成の一例を示すブロック図である。
【符号の説明】
【００５２】
１０ａ，１０ｂ  ユーザ携帯端末（携帯端末）
１１  内蔵記憶部
１１ａ  バックアップ管理テーブル
１２  表示部
１３  無線通信部（送信部、受信部）
１８  報知スピーカ（報知手段）
１９  制御部
１９ａ  表示制御部
２０  情報サーバ
２１  通信部（送信部、受信部）
２２  制御部
２２ａ  認証部
２２ｂ  データ種別判定部
２２ｃ  記憶制御部
２２ｄ  バックアップ判定部
２２ｅ  バックアップ計数部
２２  情報記憶部
３０  通信ネットワーク
４０  ユーザ通信端末（他の通信端末）
【図１】
0004701639.tif 000002
【図２】
0004701639.tif 000003
【図３】
0004701639.tif 000004
【図４】
0004701639.tif 000005
【図５】
0004701639.tif 000006
【図６】
0004701639.tif 000007
【図７】
0004701639.tif 000008
【図８】
0004701639.tif 000009
【図９】
0004701639.tif 000010
【図１０】
0004701639.tif 000011